(57)【要約】【課題】喫煙者の隣に着座した遊技者が喫煙者の喫煙を気にすることなく、快適に遊技可能な遊技場用設備を提供する。【解決手段】灰皿部２と、展開した状態で喫煙に起因する煙を遮蔽する遮蔽部材５を備え、灰皿部２は、内部に吸い殻収容空間２３を有し、さらに吸い殻収容空間２３が蓋部７によって遊技機島１０１の外部から大部分又は全部が閉塞された閉塞姿勢と、吸い殻収容空間２３が遊技機島１０１の外部と閉塞姿勢よりも広く連通した連通姿勢とに姿勢変更が可能であり、灰皿部２の閉塞姿勢から連通姿勢への姿勢変更に連動して遮蔽部材５が展開される構成とする。【選択図】図３
2015116313.tif 000002
【特許請求の範囲】
【請求項１】
１又は複数の遊技機が並設してなる遊技機島に設けられる遊技場用設備であって、
灰皿部と、展開した状態で喫煙に起因する煙を遮蔽する遮蔽部材を備え、
前記灰皿部は、内部に収容空間を有するものであって、前記収容空間が別部材又は別の部位によって遊技機島の外部から大部分又は全部が閉塞された閉塞姿勢と、前記収容空間が遊技機島の外部と前記閉塞姿勢よりも広く連通した連通姿勢とに姿勢変更が可能であり、
前記灰皿部の閉塞姿勢から連通姿勢への姿勢変更に連動して遮蔽部材が展開されることを特徴とする遊技場用設備。
【請求項２】
前記遊技機島は、複数の遊技機が並設してなり、
前記灰皿部の閉塞姿勢から連通姿勢への姿勢変更に連動して遮蔽部材が隣接する遊技機間を仕切るように展開されることを特徴とする請求項１に記載の遊技場用設備。
【請求項３】
前記遮蔽部材は、前記灰皿部の閉塞姿勢において、遊技機島の内部に収納可能であることを特徴とする請求項１又は２に記載の遊技場用設備。
【請求項４】
前記遮蔽部材は、遮蔽シートと、前記遮蔽シートを支持可能な支持部材を有し、
前記支持部材は、棒状であって、かつ、前記灰皿部の閉塞姿勢において、遮蔽シートを外周に巻回して固定できることを特徴とする請求項１又は２に記載の遊技場用設備。
【請求項５】
動力伝達部材を有し、
前記動力伝達部材は、灰皿部と遮蔽部材の間に位置するものであって、かつ、その一部が灰皿部に接続されており、
前記動力伝達部材は、灰皿部の姿勢変更による動力に基づいて遮蔽部材を展開させることを特徴とする請求項１〜４のいずれかに記載の遊技場用設備。
【発明の詳細な説明】
【技術分野】
【０００１】
本発明は、遊技場に設置される遊技場用設備に関する。特に本発明は、遊技者のタバコ煙を遮蔽する遮蔽部材を備えた遊技場用設備に関する。
【背景技術】
【０００２】
ぱちんこ機やスロット機等が設置されている遊技場では、遊技場内における遊技機の稼働台数を増加させるべく、できるだけ多くの遊技機を設置できるレイアウトとなっている。
すなわち、このような遊技場内では、一般的に、複数の遊技機が列状に並設されて形成される遊技機島が設けられており、遊技機島における遊技機間の間隔が極めて狭く設定されている。そのため、隣り合う遊技機をそれぞれ遊技する遊技者は、必然的に、僅かに間隔をあけて並列して着座することとなる。
【０００３】
ところで、近年、遊技場において、喫煙による健康被害等を防止するために分煙環境が整えられている。
すなわち、遊技場では、上記したように隣に座る遊技者が必然的に近い位置となってしまうので、隣に座った遊技者が喫煙すると、その喫煙によって生じるタバコ煙が流れてきてしまう。そこで、遊技場においても、並設された遊技機同士の間（いわゆる台間）に分煙ボードを設け、遊技者の喫煙によって生じるタバコ煙を遮断する。そうすることで、たとえ隣の遊技者が喫煙しても、遊技者が不快に感じないように分煙させる構造が広がりつつある（例えば、特許文献１）。
【０００４】
しかしながら、近くに並んで座っている遊技者の双方が喫煙をしない場合には、この分煙ボードは不必要であるから、非喫煙者にとっては、分煙ボードを邪魔に感じてしまう場合がある。
そこで、特許文献１の分煙ボードでは、使用時に仕切り板部を突出させて分煙ボードを大きく展開し、不使用時に仕切り板部を退入させる構造が提案されている。この構造により、分煙ボードを使用しない場合において、非喫煙者が仕切り板部を邪魔に感じないようにしている。
【先行技術文献】
【特許文献】
【０００５】
【特許文献１】特開２０１２−１１１４０号公報
【発明の概要】
【発明が解決しようとする課題】
【０００６】
このような分煙ボードを使用する際には、遊技者が分煙ボードを手動で展開させる必要がある。すなわち、遊技者が隣の遊技者の喫煙が気になった際に、分煙ボードを手動で展開し、タバコ煙を遮断する必要がある。
しかしながら、遊技者によっては、隣に座っている遊技者に気兼ねしてしまい、分煙ボードを使用したいにもかかわらず、分煙ボードを展開させる操作を遠慮してしまう者がいた。
【０００７】
そこで、本発明では、従来技術の問題点に鑑み、喫煙者の隣に着座した遊技者が喫煙者の喫煙を気にすることなく、快適に遊技可能な遊技場用設備を提供することを課題とする。
【課題を解決するための手段】
【０００８】
上記した課題を解決するための請求項１に記載の発明は、１又は複数の遊技機が並設してなる遊技機島に設けられる遊技場用設備であって、灰皿部と、展開した状態で喫煙に起因する煙を遮蔽する遮蔽部材を備え、前記灰皿部は、内部に収容空間を有するものであって、前記収容空間が別部材又は別の部位によって遊技機島の外部から大部分又は全部が閉塞された閉塞姿勢と、前記収容空間が遊技機島の外部と前記閉塞姿勢よりも広く連通した連通姿勢とに姿勢変更が可能であり、前記灰皿部の閉塞姿勢から連通姿勢への姿勢変更に連動して遮蔽部材が展開されることを特徴とする遊技場用設備である。
【０００９】
本発明の構成によれば、灰皿部は、閉塞姿勢と連通姿勢に姿勢変更が可能である。
すなわち、灰皿部に対応した遊技者が喫煙しない場合（非喫煙者の場合）には、灰皿部の灰皿としての機能が不要となり、タバコの灰や吸い殻等を収容する収容空間を使用しない。そのため、灰皿部を閉塞姿勢にすることによって、タバコの灰や吸い殻等が収容空間から漏れ出すことを防止することができる。
一方、灰皿部に対応した遊技者が喫煙する場合（喫煙者の場合）には、灰皿部の灰皿としての機能が必要となり、タバコの灰や吸い殻等を収容する収容空間を使用する。そのため、灰皿部を連通姿勢にすることによって、灰皿部の収容空間が開放され、タバコの灰や吸い殻等を収容空間に収容することができる。
また、本発明の構成によれば、灰皿部の閉塞姿勢から連通姿勢への姿勢変更に連動して遮蔽部材が展開され、遮蔽部材が喫煙に起因する煙を遮蔽する。すなわち、喫煙者が灰皿部を使用する動作に伴って自動的に遮蔽部材が広く広がり、喫煙者の喫煙に起因する煙を遮蔽するので、喫煙者に隣接した遊技者は、喫煙者の喫煙を気にすることなく、遊技に集中できる。
また、喫煙者の動作によって、遮蔽部材が展開されるので、喫煙者に隣接した遊技者は、特段の遮蔽部材を展開する操作を行わなくてもよい。そのため、喫煙者に隣接した遊技者は、遊技を中断せずとも、遮蔽部材を使用できる。
【００１０】
請求項２に記載の発明は、前記遊技機島は、複数の遊技機が並設してなり、前記灰皿部の閉塞姿勢から連通姿勢への姿勢変更に連動して遮蔽部材が隣接する遊技機間を仕切るように展開されることを特徴とする請求項１に記載の遊技場用設備である。
【００１１】
ここでいう「隣接する遊技機間を仕切るように」には、隣接する遊技機間を隙間無く完全仕切る場合に加えて、隣接する遊技機間を部分的に仕切る場合も含む。また、隣接する遊技機間を連続的に仕切る場合だけではなく、断続的に仕切る場合も含まれる。
【００１２】
本発明の構成によれば、灰皿部の閉塞姿勢から連通姿勢への姿勢変更に連動して、遮蔽部材が喫煙者と、当該喫煙者に隣接する遊技者との間を物理的に仕切るので、喫煙者に隣接した遊技者は、喫煙者のタバコの火の位置を気にせずに遊技に集中できる。
【００１３】
請求項３に記載の発明は、前記遮蔽部材は、前記灰皿部の閉塞姿勢において、遊技機島の内部に収納可能であることを特徴とする請求項１又は２に記載の遊技場用設備である。
【００１４】
本発明の構成によれば、遮蔽部材は、灰皿部の閉塞姿勢において、遊技機島の内部に収納可能であるので、遮蔽部材が遊技機島から張り出さず、遮蔽部材が遊技者の遊技の邪魔にならない。
【００１５】
請求項４に記載の発明は、前記遮蔽部材は、遮蔽シートと、前記遮蔽シートを支持可能な支持部材を有し、前記支持部材は、棒状であって、かつ、前記灰皿部の閉塞姿勢において、遮蔽シートを外周に巻回して固定できることを特徴とする請求項１又は２に記載の遊技場用設備である。
【００１６】
本発明の構成によれば、棒状の支持部材の外周に遮蔽シートを巻き付けて固定できるので、灰皿部の閉塞姿勢における台間内の遮蔽シートの占有スペースを小さくすることができる。
【００１７】
請求項５に記載の発明は、動力伝達部材を有し、前記動力伝達部材は、灰皿部と遮蔽部材の間に位置するものであって、かつ、その一部が灰皿部に接続されており、前記動力伝達部材は、灰皿部の姿勢変更による動力に基づいて遮蔽部材を展開させることを特徴とする請求項１〜４のいずれかに記載の遊技場用設備である。
【００１８】
本発明の構成によれば、動力伝達部材を介して灰皿部の姿勢変更による動力を遮蔽部材の展開に使用するので、新たにモーター等の電気的な動力を必要としない。そのため、電源等からの配線等を気にせずに使用することができる。
【発明の効果】
【００１９】
本発明の構成によれば、喫煙者の隣に着座した遊技者が喫煙者の喫煙を気にすることなく、快適に遊技することができる。
【図面の簡単な説明】
【００２０】
【図１】本発明の第１実施形態に係る遊技機島を模式的に表す斜視図である。
【図２】図１の遊技機島から遊技場用設備を取り外した分解斜視図である。
【図３】図１の遊技機島の縦断面図である。
【図４】図１の遊技場用設備の斜視図である。
【図５】図４の遊技場用設備の灰皿部を表す分解斜視図である。
【図６】図４の遊技場用設備の壁面形成部及び遮蔽部材を表す分解斜視図である。
【図７】図１の遊技場用設備を下方からみた斜視図である。
【図８】図１の遊技場用設備の説明図であり、（ａ）は閉塞姿勢（不使用時）における遊技場用設備の斜視図であり、（ｂ）は連通姿勢（使用時）における遊技場用設備の斜視図である。
【図９】図１の遊技場用設備の説明図であり、（ａ）は閉塞姿勢（不使用時）における遊技場用設備の要部の断面図であり、（ｂ）は連通姿勢（使用時）における遊技場用設備の要部の断面図である。
【図１０】図４の遊技場用設備の灰皿部の設置状況を表す斜視図である。
【図１１】図１の遊技場用設備の遮蔽シートを回収する際の説明図である。
【図１２】本発明の第２実施形態の遊技場の斜視図である。
【図１３】図１２の遊技場用設備の要部の分解斜視図である。
【図１４】図１２の動力伝達部材を表す一部破断斜視図である。
【図１５】図１２の遊技場用設備の説明図であり、（ａ）は閉塞姿勢（不使用時）における遊技場用設備の斜視図であり、（ｂ）は連通姿勢（使用時）における遊技場用設備の斜視図である。
【図１６】図１２の遊技場用設備の説明図であり、閉塞姿勢（不使用時）における遊技場用設備の要部の断面図である。
【図１７】図１２の遊技場用設備の説明図であり、連通姿勢（使用時）における遊技場用設備の要部の断面図である。
【図１８】本発明の他の実施形態に係る灰皿部の説明図であり、（ａ）は閉塞姿勢の斜視図であり、（ｂ）は連通姿勢の斜視図である。
【図１９】本発明の他の実施形態に係る遊技機島を模式的に示した斜視図である。
【発明を実施するための形態】
【００２１】
以下に本発明の実施形態について詳細に説明する。
なお、以下の説明において、特に断りがない限り、上下左右の位置関係は、通常の設置位置を基準に説明する。
【００２２】
本実施形態の遊技場の構造は、図１のように、主に複数の遊技機１００（ぱちんこ機やスロット機等）を１つの群とした、いわゆる遊技機島１０１に適した構成であり、遊技場内においてはその遊技機島１０１が複数配されている。そこで、以下の説明においては、理解を容易にするために、１つの遊技機島１０１（遊技機群）に注目して説明する。
【００２３】
遊技機島１０１は、図１，図２から読み取れるように、所定台数分（図１では３台分）の遊技機取付部１０２と、それに対応する台数分の台間取付部１０３及び空間形成部１０４が設けられている。
そして、遊技機島１０１は、各遊技機取付部１０２に１台ずつ遊技機１００が設置されており、各台間取付部１０３に１台ずつ台間装置１０５が設置されている。さらに、本実施形態の遊技機島１０１では、空間形成部１０４に遊技場用設備１の一部が設置されている。
【００２４】
台間取付部１０３は、図２のように、台間装置１０５を取り付ける部位である。
台間装置１０５は、遊技機１００，１００間に設置される電子機器等を表し、遊技媒体を貸し出す貸出機やその他の機器等を総称して表している。
【００２５】
空間形成部１０４は、遊技機１００，１００間の間隔を所定の間隔に調整する部位であり、図２のように、その内部が空洞となっている。
具体的には、空間形成部１０４は、図２のように、少なくとも遊技機取付部１０２との境界を形成する遊技機側内壁部１０６と、台間取付部１０３との境界を形成する台間側内壁部１０７を有している。
そして、これらの遊技機側内壁部１０６と台間側内壁部１０７は、台間方向（遊技機１００の並設方向）に所定の間隔を空けて対面しており、その間に形成空間１０８が設けられている。
遊技機側内壁部１０６と台間側内壁部１０７は、遊技機島１０１の内外方向であって、且つ天地方向に対して垂直方向となる方向に、伸びた壁部である。
【００２６】
遊技機島１０１は、図１，図２に示されるように遊技機１００の並設方向に沿って、膳板１１０が設けられている。
膳板１１０は、図３のように、遊技機１００を載置する載置部１１５を備えた長板であり、長方形状の骨格部１１１と、骨格部１１１の一部を覆う被甲部１１２とを有している。
載置部１１５は、遊技機１００を載置する部位であり、遊技機取付部１０２の底面を形成する部位である。
【００２７】
骨格部１１１は、膳板１１０の骨格をなす部材であり、遊技機１００の設置面に対して直交方向に突出している。骨格部１１１は、木製の板状の部材である。
被甲部１１２は、骨格部１１１の通常の遊技において遊技者の視認できる領域を覆う部材である。具体的には、被甲部１１２は、骨格部１１１の上面及びその側面を覆っており、骨格部１１１の下面は覆っていない。
すなわち、骨格部１１１の下面は外部に露出している。また、被甲部１１２は、ステンレス等の高い硬度を有した金属板によって形成されている。
【００２８】
なお、遊技機島１０１の内部構造においては、柱や梁などの構造体の他、各遊技機１００に遊技媒体（例えば、ぱちんこ球）を搬送する遊技媒体搬送装置（図示しない）、各遊技機１００から回収された遊技媒体が一時的に貯留される貯留タンク（図示しない）、回収された遊技媒体の汚れを除去し磨く遊技媒体研磨装置（図示しない）等の遊技機１００を動作させる際に関連する機器が配されているが、本発明においては特に関係がないため説明を省略する。
【００２９】
ここで、本実施形態の遊技場用設備１の説明に先立って、遊技機島１０１の各部位の位置関係について説明すると、遊技機島１０１は、図１，図２から読み取れるように遊技機１００の並設方向において、遊技機取付部１０２の片側に隣接して台間取付部１０３が備えられており、遊技機取付部１０２の反対側に隣接して空間形成部１０４が備えられている。
すなわち、遊技機島１０１は、遊技機１００の並設方向において、空間形成部１０４、台間取付部１０３、遊技機取付部１０２、空間形成部１０４、・・・の順に並んでいる。つまり、２つの空間形成部１０４の間に台間取付部１０３、遊技機取付部１０２が介在している。
別の観点から見ると、空間形成部１０４は、遊技機取付部１０２の片側であって、並設された遊技機取付部１０２の間にそれぞれ設けられている。また、空間形成部１０４は、台間取付部１０３の片側（遊技機取付部１０２と反対側）であって、並設された台間取付部１０３の間にそれぞれ設けられているとも言える。
【００３０】
続いて、本発明の特徴の一つである遊技場用設備１について説明する。
【００３１】
本実施形態の遊技場用設備１は、図３のように、灰皿部２と、動力伝達部材３と、壁面形成部４と、遮蔽部材５を備えている。
遊技場用設備１は、灰皿部２と遮蔽部材５とを連動させる連動構造を備えており、灰皿部２の姿勢の変更に連動して遮蔽部材５が隣接する遊技機１００，１００間で仕切るように展開することを特徴の一つとする。
【００３２】
灰皿部２は、灰皿として機能する部位であり、図４，図５から読み取れるように受け皿部６と、蓋部７を備えている。
受け皿部６は、図５のように外側皿部１５と、内側皿部１６から形成されている。
外側皿部１５は、受け皿部６の外郭を形成するものである。
外側皿部１５は、図５に示されるように、底面部１７と、底面部１７から上方に向けて立設された側面部１８から形成されており、底面部１７と側面部１８に囲繞された内皿収容空間２０（収容空間）を有している。
側面部１８は、動力伝達部材３の一部を挿通可能な挿通孔１９を有している。
内皿収容空間２０は、上方に向けて開放した空間であり、その内部に内側皿部１６を収容可能となっている。
内側皿部１６は、底面部２１と、底面部２１から上方に向けて立設された側面部２２から形成されており、底面部２１と側面部２２に囲繞された吸い殻収容空間２３（収容空間）を有している。
吸い殻収容空間２３は、タバコの灰や吸い殻等を収容する空間である。
【００３３】
蓋部７は、受け皿部６の収容空間２０，２３を閉塞可能な部材であり、外側皿部１５の側面部１８によって形成される開口を塞ぐ板状の蓋である。
【００３４】
ここで、灰皿部２の各部位の位置関係について説明する。
蓋部７は、受け皿部６に対してヒンジ等の接続部材１２によって接続されており、接続部材１２を中心として相対的に回転移動して開閉可能となっている。
また、内側皿部１６は、外側皿部１５の内皿収容空間２０内に着脱可能に収納されている。そのため、内側皿部１６を外側皿部１５から取り外すことで、吸い殻収容空間２３の収容されたタバコの灰や吸い殻等を外側皿部１５と独立して廃棄することができる。
外側皿部１５と内側皿部１６の間には、図３の拡大図のように、動力伝達部材３の一部を通過可能な隙間が形成されており、当該隙間は、外側皿部１５の挿通孔１９と連通している。
【００３５】
動力伝達部材３は、灰皿部２の姿勢変化に起因する動力を遮蔽部材５に伝達する部材である。
動力伝達部材３は、図３のように、中空体２５と、引張部材２６と、係合部材２７から形成されている。
中空体２５は、その内部空間に引張部材２６を挿通可能なホース状の部材であり、可撓性を有している。
引張部材２６は、引っ張り力を伝達する部材である。
引張部材２６は、灰皿部２の蓋部７と遮蔽部材５の係合部材２７を繋ぐ線状の部材であり、具体的には、ワイヤーである。
係合部材２７は、図３のように、閉塞姿勢において、後述する遮蔽部材５の展開防止部材３９と係合して、遮蔽部材５の錘部材３８の落下を防止する部材である。
係合部材２７は、図３の拡大図のように、棒状の本体部３０と、本体部３０の外周から外側に向けて突出した抜け落ち防止部３１を有している。
本体部３０は、一方の端部が引張部材２６と接続されており、他方の端部が錘部材３８を係合可能となっている。
抜け落ち防止部３１は、係合部材２７が遮蔽部材５から抜け落ちすることを防止する部位であり、本体部３０の長手方向の中間部に形成されている。
【００３６】
壁面形成部４は、図２，図３から読み取れるように、空間形成部１０４の形成空間１０８を塞ぐ部材であり、具体的には、遊技機島１０１の外面を形成する化粧板である。
壁面形成部４は、図６のように部材厚方向（内外方向）に動力伝達部材３の一部を挿通可能な挿通孔５６と、遮蔽部材５の支持部材３６の端部を軸支可能な支持穴５７を有している。
壁面形成部４の内側面（遊技機島１０１の内部側の面）には、中空体２５の外周面に沿ったスリット（図示しない）が設けられており、動力伝達部材３が取り付け可能となっている。当該スリットは、上下方向に延びており、上側端部は、挿通孔５６と繋がっており、下側端部は、膳板１１０まで至っている。
【００３７】
遮蔽部材５は、図１のように、展開した状態で喫煙に起因する煙を遮蔽する部材であり、遊技機１００，１００間を仕切る部材である。
遮蔽部材５は、図６に示されるように、筐体部３５と、支持部材３６と、遮蔽シート３７と、錘部材３８と、展開防止部材３９を有している。
筐体部３５は、内外方向に延びた直方体状の箱であり、図６，図７から読み取れるように、四角形状の天面部４０と、天面部４０の３辺から下方に向けて立設された側壁部４１，４２，４３と、天面部４０の下方に所定の間隔を空けて配された底面部４５を有している。
すなわち、筐体部３５は、図３の拡大図のように、天面部４０と側壁部４１，４２，４３と底面部４５に囲繞された収納空間４６を有している。
外側に設けられた側壁部４２には、図６のように、部材厚方向に貫通した貫通孔４９を有している。
底面部４５の外側面には、図７のように、後述する動力伝達部材３の係合部材２７を固定する固定部５８を有している。
固定部５８は、係合部材２７の本体部３０を挿通可能な固定開口５９を有している。
固定開口５９の開口面積は、本体部３０の縦断面の断面積よりも大きく、抜け落ち防止部３１の縦断面の断面積よりも小さい。
【００３８】
支持部材３６は、図６に示されるように、棒状の部材であり、外周に遮蔽シート３７を巻き付けて支持できる部材である。すなわち、支持部材３６は、灰皿部２の閉塞姿勢において、遮蔽部材５を外周に巻回して固定することが可能である。
支持部材３６は、筐体部３５の側壁部４２の貫通孔４９及び壁面形成部４の支持穴５７に軸支される部材であり、相対的に回動可能となっている。
【００３９】
支持部材３６は、図６のように、巻き取り部４７と、操作部４８を有している。
巻き取り部４７は、遮蔽シート３７を巻き取って支持する部位である。
操作部４８は、巻き取り部４７を回転させる部位であり、使用者が摘持して操作可能となっている。
遮蔽シート３７は、シート状の部材であり、可撓性樹脂によって形成されている。遮蔽シート３７は、展開した状態において、帯状に延びた部材である。
錘部材３８は、遮蔽シート３７の端部に取り付けられる部材であり、自重により遮蔽シート３７を展開する方向に引っ張る部材である。
錘部材３８は、断面形状が円形の棒状体である。
【００４０】
展開防止部材３９は、図３のように、灰皿部２が閉塞姿勢において、遮蔽部材５が展開することを防止する部材である。
展開防止部材３９は、図６のように、長板状の部材であり、下面に係合部５０を有している。
係合部５０は、係合部材２７の本体部３０を挿通可能な係合開口５１を有している。
係合開口５１の開口面積は、本体部３０の縦断面の断面積よりも大きく、抜け落ち防止部３１の縦断面の断面積よりも小さい。
【００４１】
ここで、遮蔽部材５の各部位の位置関係について説明する。
遮蔽部材５は、図３のように、筐体部３５内に支持部材３６と、遮蔽シート３７と、錘部材３８が収納されている。
展開防止部材３９は、側壁部４２の下端部にヒンジ等の接続部材５５を介して接続されており、接続部材５５を中心として周方向に回動可能となっている。
また、遮蔽部材５の上端部は、巻き取り部４７の外周面に接続されており、遮蔽部材５の下端部は、錘部材３８の外周面に接続されている。
巻き取り部４７は、側壁部４２と壁面形成部４に挟まれた位置にあり、側壁部４２と壁面形成部４によって、回転可能に支持されている。
側壁部４２の貫通孔４９には、支持部材３６の一部が挿通されており、操作部４８が貫通孔４９から外側に張り出している。すなわち、筐体部３５の外側から操作部４８を操作可能となっている。
【００４２】
本実施形態の膳板１１０は、上記した構成に加えて灰皿取付部１１６と、伝達部材取付部１１７を有している。
灰皿取付部１１６は、図３のように、灰皿部２を取り付ける部位である。
伝達部材取付部１１７は、溝又は孔であり、その内部に動力伝達部材３を取り付けて、灰皿取付部１１６から空間形成部１０４の形成空間１０８に動力伝達部材３を連通させる部位である。
【００４３】
上記したように、本実施形態の遊技場用設備１は、灰皿部２の使用、不使用に合わせて、灰皿部２の姿勢変更が可能である。
具体的には、灰皿部２は、図９に示されるように、吸い殻収容空間２３が蓋部７によって遊技機島１０１の外部から大部分又は全部が閉塞された閉塞姿勢（不使用時）と、吸い殻収容空間２３が遊技機島１０１の外部と閉塞姿勢よりも広く連通した連通姿勢（使用時）とに姿勢変更が可能である。
そして、灰皿部２の閉塞姿勢から連通姿勢への姿勢変更に連動して遮蔽部材５が展開される構成としている。
これらのことを踏まえて本実施形態の遊技場用設備１の各姿勢における各部位の位置関係について説明する。なお、説明の都合上、灰皿部２が閉塞した閉塞姿勢から説明する。
【００４４】
灰皿部２は、図９（ａ）のように膳板１１０の灰皿取付部１１６に取り付けられている。
灰皿部２は、図９（ａ）に示されるように、蓋部７が閉じており、受け皿部６の収容空間２０，２３が閉塞されている。
動力伝達部材３は、遊技機島１０１の上部に位置する遮蔽部材５から膳板１１０の下面を経由して灰皿部２まで延びている。
具体的には、壁面形成部４は、空間形成部１０４に縦姿勢に取り付けられており、壁面形成部４の内側面には動力伝達部材３が上下方向に這っている。すなわち、動力伝達部材３の壁面形成部４の内側面に取り付けられた部位は、形成空間１０８内に収納されている。
壁面形成部４の上部側に注目すると、動力伝達部材３の一方の端部側は、図８（ａ），図９（ａ）のように、壁面形成部４の挿通孔５６に挿通されている。その先端に位置する係合部材２７は、固定部５８の固定開口５９を挿通しており、さらに展開防止部材３９の係合部５０の係合開口５１も挿通している。
抜け落ち防止部３１を基準として、本体部３０の先端側は、係合開口５１と係合しており、基端側は、固定開口５９と係合している。すなわち、抜け落ち防止部３１は、固定部５８と係合部５０の間に位置している。
壁面形成部４の下部側に注目すると、動力伝達部材３は、膳板１１０の被甲部１１２を通過して骨格部１１１の下面まで至っており、骨格部１１１の下面を這って灰皿部２に至っている。
動力伝達部材３は、外側皿部１５及び内側皿部１６の隙間を通過して外側皿部１５の挿通孔１９に至り、挿通孔１９を通過して蓋部７の内側面に接続されている。
【００４５】
続いて、使用者が蓋部７を開けて、灰皿部２を閉塞姿勢から連通姿勢に変更する場合について説明する。
蓋部７が開かれ、灰皿部２が閉塞姿勢から連通姿勢に変更されると、蓋部７の移動により、引張部材２６が引っ張られて、動力伝達部材３において中空体２５内を引張部材２６が移動する。
その結果、動力伝達部材３の先端に位置する係合部材２７が遊技機島１０１内に引っ張られて、図９（ｂ）のように、本体部３０と展開防止部材３９の係合開口５１との係合状態が解除される。
そのため、展開防止部材３９は、側壁部４２の下端部に設けられた接続部材５５を中心として周方向に回動し、側壁部４２の下端部に懸吊された状態となる。
また、展開防止部材３９が移動すると、展開防止部材３９による錘部材３８の係止が無くなるから、錘部材３８の自重により、遮蔽シート３７を下方に引っ張り、支持部材３６が回転する。その結果、図９（ｂ）のように、遮蔽シート３７が支持部材３６から送りだされ、広く展開される。そして、遮蔽部材５の錘部材３８は、膳板１１０の近傍まで懸吊された状態となる。
このとき、遮蔽シート３７は、図８（ｂ）のように、遊技機島１０１に対して縦姿勢となっており、灰皿部２に対応する遊技者（使用者）と、隣接する遊技者の間を仕切るように広がる。そのため、遮蔽部材５によって灰皿部２に対応する遊技者の喫煙に起因するタバコ煙が隣接する遊技者に流れることを防止することができる。
【００４６】
このように、喫煙者が灰皿部２を閉塞姿勢から連通姿勢へ姿勢を変更させることによって自動的に遮蔽部材５の遮蔽シート３７が展開されるため、隣の遊技者は特段操作する必要がなく遊技に集中することができる。
【００４７】
なお、連通姿勢から閉塞姿勢に姿勢を変更する場合には、図１１のように操作部４８を回転させて、遮蔽シート３７を支持部材３６で巻き取り、本体部３０を展開防止部材３９に係合させることによって元の閉塞姿勢に戻すことが可能である。
【００４８】
本実施形態の遊技場用設備１によれば、遊技者が喫煙するために灰皿部２の蓋部７を開くと、遮蔽シート３７が大きく展開されることとなる。そのため、遊技者が手動で遮蔽部材５を操作して遮蔽シート３７を展開しなくても、遮蔽シート３７が大きく展開し、十分な防煙機能を発揮する。
このように、分煙ボードの使用を躊躇してしまうような遠慮がちな遊技者であっても、隣に座った人の喫煙を気にすることなく、快適に遊技に興じることができる。
【００４９】
続いて、第２実施形態の遊技場用設備７０について説明する。なお、第１実施形態と同様のものは同じ符番を付して説明を省略する。
【００５０】
第２実施形態の遊技場用設備７０は、第１実施形態の遊技場用設備１と同様、灰皿部２の姿勢の変更に伴って遮蔽部材７１が展開されるものである。
遊技場用設備７０は、図１２，図１４のように、灰皿部２と、動力伝達部材８０と、遮蔽部材７１と、接続部材７８，８８を有している。
【００５１】
動力伝達部材８０は、第１実施形態の動力伝達部材３とほぼ同様の形状をしており、係合部材の形状が異なる。
すなわち、動力伝達部材８０の係合部材８３は、第１実施形態の係合部材２７と異なり、図１４のように、引張部材２６と接続された本体部９３と、本体部から突出した２つの突起部９４，９５を有している。
突起部９４，９５は、ともに円柱状の突起であって、本体部９３から同一方向に突出している。突起部９４，９５は、径方向に互いに所定の間隔を空けて配されている。
突起部９４，９５間の距離は、閉塞姿勢時における固定部７９，８９間の距離とほぼ等しい。
【００５２】
遮蔽部材７１は、第１実施形態の壁面形成部４の機能と、遮蔽部材５の機能の双方の機能を備えており、図１２のように、一対の上部遮蔽部７２と下部遮蔽部７３から形成されている。
【００５３】
上部遮蔽部７２は、図１３のように、第１壁面形成部７５と、第１骨組み部７６と、第１遮蔽シート７７を有している。
第１壁面形成部７５は、図１２のように空間形成部１０４の形成空間１０８（図示しない）を塞ぐ部位であり、具体的には、遊技機島１０１の壁面の一部を形成する化粧板である。第１壁面形成部７５は、略直角三角形状をしている。
第１壁面形成部７５の外側面には、動力伝達部材８０の係合部材８３を固定する固定部７９を有している。
固定部７９は、具体的には動力伝達部材８０の係合部材８３の突起部９４を嵌挿可能な貫通孔であり、厚み方向に対してやや傾斜して形成されている。
第１骨組み部７６は、第１遮蔽シート７７を支持する部材であり、複数の骨部８１と、各骨部８１の端部を固定する軸部８２を有している。
骨部８１は、直線状の延びた芯材である。
軸部８２は、各骨部８１の一方の端部を固定する棒状部材であり、具体的には、ピンである。
第１遮蔽シート７７は、扇形状の可撓性シートである。
【００５４】
下部遮蔽部７３は、図１３のように、第２壁面形成部８５と、第２骨組み部８６と、第２遮蔽シート８７を有している。
第２壁面形成部８５は、第１壁面形成部７５と対となって一つの壁面を形成するものであり、具体的には、第１壁面形成部７５と同様、略直角三角形状をしている。
第２壁面形成部８５の外側面には、動力伝達部材８０の係合部材８３を固定する固定部８９を有している。
固定部８９は、具体的には、動力伝達部材８０の係合部材８３の突起部９５を嵌挿可能な貫通孔であり、厚み方向に対してやや傾斜して形成されている。
第２骨組み部８６は、第２遮蔽シート８７を支持する部材であり、複数の骨部９１と、各骨部９１の端部を固定する軸部９２を有している。
骨部９１は、直線状の延びた芯材である。
軸部９２は、各骨部９１の一方の端部を固定する棒状部材であり、具体的には、ピンである。
【００５５】
接続部材７８は、上部遮蔽部７２と空間形成部１０４の上部内壁面１１８を接続する部材であり、所定の方向に付勢する部材である。
具体的には、接続部材７８は、バネ付きヒンジ等の付勢部材である。
接続部材８８は、下部遮蔽部７３と空間形成部１０４の下部内壁面１１９を接続する部材であり、所定の方向に付勢する部材である。
具体的には、接続部材８８は、バネ付きヒンジ等の付勢部材である。
【００５６】
続いて、各姿勢における各部位の位置関係について説明する。
【００５７】
まず、閉塞姿勢について説明する。
上部遮蔽部７２は、図１６のように、空間形成部１０４の上部内壁面１１８に接続部材７８（図１３参照）によって固定されており、接続部材７８を中心として周方向に回動するように付勢されている。
また、上部遮蔽部７２は、図１５（ａ）のように、第１壁面形成部７５が遊技機島１０１の外壁面を形成するように縦姿勢で設置されており、空間形成部１０４内に第１骨組み部７６及び第１遮蔽シート７７（図１３参照）が収納されている。
【００５８】
下部遮蔽部７３は、空間形成部１０４の下部内壁面１１９に接続部材８８（図１３参照）によって固定されており、接続部材８８を中心として周方向に回動するように付勢されている。
また、下部遮蔽部７３は、図１５（ａ）のように第２壁面形成部８５が遊技機島１０１の外壁面を形成するように縦姿勢で設置されており、空間形成部１０４内に第２骨組み部８６及び第２遮蔽シート８７（図１３参照）が収納されている。
【００５９】
上部遮蔽部７２と下部遮蔽部７３は、図１５（ａ）のように第１壁面形成部７５の斜面と、第２壁面形成部８５の斜面が対向するように設置されており、第１壁面形成部７５と第２壁面形成部８５で一つの平面を形成している。
上部遮蔽部７２の固定部７９と下部遮蔽部７３の固定部８９は、図１６のように上下方向に同一直線上に並んでいる。
動力伝達部材８０の係合部材８３は、突起部９４が上部遮蔽部７２の固定部７９を挿通又は挿入しており、突起部９５が下部遮蔽部７３の固定部８９を挿通又は挿入している。
すなわち、係合部材８３は、本体部９３が上部遮蔽部７２と下部遮蔽部７３の境界を跨がっており、突起部９４が固定部７９と係合しており、突起部９５が固定部８９と係合している。
そのため、上記したように接続部材７８，８８によって壁面形成部７５，８５は、開方向（互いに離反する方向であって、接続部材７８，８８を中心として周方向）に移動するように付勢されているが、動力伝達部材８０の係合部材８３によって移動が規制されている。
【００６０】
続いて、使用者が蓋部７を開けて、灰皿部２を閉塞姿勢から連通姿勢に変更する場合について説明する。
【００６１】
蓋部７が開かれ、灰皿部２が閉塞姿勢から連通姿勢に変更されると、蓋部７の移動により、引張部材２６が引っ張られて、動力伝達部材８０において中空体２５内を引張部材２６が移動する。
その結果、図１７のように、動力伝達部材８０の先端に位置する係合部材８３が下方に引っ張られて、係合部材８３の突起部９４と上部遮蔽部７２の固定部７９との係合状態が解除される。同様に係合部材８３の突起部９５と下部遮蔽部７３の固定部８９との係合状態が解除される。
そのため、接続部材７８，８８の付勢力によって壁面形成部７５，８５は、開方向に移動し、骨部８１，９１が軸部８２，９２を中心として展開され、遮蔽シート７７，８７も骨部８１，９１に追随して展開される。
このとき、遮蔽シート７７，８７は、図１２，図１５（ｂ）から読み取れるように、遊技機１００の並設方向にずれた位置に遊技機島１０１の壁面に対して直交した姿勢で広がり、灰皿部２に対応する遊技者（使用者）と、隣接する遊技者の間を仕切る。そのため、上部遮蔽部７２と下部遮蔽部７３によって灰皿部２に対応する遊技者の喫煙に起因するタバコ煙が隣接する遊技者に流れることを防止することができる。
【００６２】
なお、連通姿勢から閉塞姿勢に姿勢を変更する場合には、壁面形成部７５，８５を空間形成部１０４側に押し込み、動力伝達部材８０の突起部９４，９５を固定部７９，８９に係合させることによって元の閉塞姿勢に戻すことが可能である。
【００６３】
上記した第１実施形態では、灰皿部２の閉塞姿勢において、巻き取り部４７に遮蔽シート３７を巻回させた状態で筐体部３５内に遮蔽シート３７を収納させたが、本発明はこれに限定されるものではなく、巻き取り部４７に巻き取らずに筐体部３５内に遮蔽シート３７を収納させてもよい。
【００６４】
上記した第２実施形態では、接続部材８８を介して下部遮蔽部７３を下部内壁面１１９に固定していたが、本発明はこれに限定されるものではなく、下部遮蔽部７３を膳板１１０に固定してもよい。
【００６５】
上記した第２実施形態では、２枚の遮蔽シート７７，８７によってタバコ煙を遮蔽したが、本発明はこれに限定されるものではなく、遮蔽シートの枚数は問わない。１枚でもよいし、３枚以上でもよい。
【００６６】
上記した第２実施形態では、閉塞姿勢において固定部７９，８９が上下方向に並んでいたが、本発明はこれに限定されるものではなく、並ぶ方向は問わない。例えば、固定部７９，８９は、遊技機１００の並設方向に並んでいてもよい。
【００６７】
上記した実施形態では、膳板に灰皿部が設置されていたが、本発明はこれに限定されるものではなく、灰皿部の設置部位は特に限定されない。例えば、図１８のように壁面形成部に灰皿部を形成してもよい。
この場合、灰皿部９８が壁面形成部から外側へ突出した姿勢を連通姿勢（使用時姿勢）とし、空間形成部１０４内に灰皿部９８が収納された姿勢を閉塞姿勢（不使用時姿勢）としてもよい。
すなわち、灰皿部９８を外側に引き出すと、遮蔽シートが大きく展開される構造であってもよい。
【００６８】
上記した実施形態では、蓋部７で受け皿部６の吸い殻収容空間２３を閉塞することで灰皿部２を閉塞姿勢としたが、本発明はこれに限定されるものではなく、受け皿部６の吸い殻収容空間２３を閉塞する部材は問わない。灰皿部２と別の部材であってもよいし、蓋部７とは別の部位であってもよい。
【００６９】
上記した実施形態では、蓋部７を喫煙者が持ち上げることによって灰皿部を閉塞姿勢から連通姿勢に変更したが、本発明はこれに限定されるものではなく、灰皿部の姿勢の変更方法は特に限定されない。例えば、蓋部にバネ等の付勢手段で上方に付勢した状態で、操作片を係合させることによって閉塞姿勢を維持させ、連通姿勢に変更する場合には、操作片の係合状態を解除することによって蓋部を開放し、灰皿部を連通姿勢としてもよい。
【００７０】
上記した実施形態では、複数の遊技機１００を備えた遊技機島１０１に遊技場用設備を設けた場合について説明したが、本発明はこれに限定されるものではなく、１台の遊技機を備えた遊技機島１０１に遊技場用設備を設けてもよい。例えば、図１９のような遊技機を１台備えた遊技機島１０１が近接して並んでいる場合に遊技場用設備を設けてもよい。
【００７１】
上記した実施形態では、１つの灰皿部の姿勢の変更に連動して１つの遮蔽部材が展開等するものであったが、本発明はこれに限定されるものではなく、１つの灰皿部の姿勢の変更に連動して複数の遮蔽部材が展開等するものであってもよい。
【符号の説明】
【００７２】
１，７０  遊技場用設備
２  灰皿部
３  動力伝達部材
５，７１  遮蔽部材
２０  内皿収容空間（収容空間）
２３  吸い殻収容空間（収容空間）
３６  支持部材
３７  遮蔽シート
１００  遊技機
１０１  遊技機島
【図１】
2015116313.tif 000003
【図２】
2015116313.tif 000004
【図３】
2015116313.tif 000005
【図４】
2015116313.tif 000006
【図５】
2015116313.tif 000007
【図６】
2015116313.tif 000008
【図７】
2015116313.tif 000009
【図８】
2015116313.tif 000010
【図９】
2015116313.tif 000011
【図１０】
2015116313.tif 000012
【図１１】
2015116313.tif 000013
【図１２】
2015116313.tif 000014
【図１３】
2015116313.tif 000015
【図１４】
2015116313.tif 000016
【図１５】
2015116313.tif 000017
【図１６】
2015116313.tif 000018
【図１７】
2015116313.tif 000019
【図１８】
2015116313.tif 000020
【図１９】
2015116313.tif 000021